(57)【要約】【課題】  本考案は墓石等の棹石の揺れを抑え、安定させ、ずれない、落ちないようにして耐震性を向上させる。【解決手段】  本考案は墓石等の上台２の棹石１接地部周辺と上台２の垂直面と中台３の水平面に穴を切削し、金属の棒材、ＹＴアンカー９、ＹＴプラグ１０又はＰＣプラグ等を打ち込んで固定したものと、さらに金属のアングル４又はＬ状に板金加工したる枠を棹石１下端周辺に合わせて、一文字型、コの字形又はロの字形に設置し、枠にはアングル又は丸棒５を棹石１の重心の安定するような高さで溶接した金属構造体を金属の六角棒６、丸棒、異形棒、ナット１３、ボルト１４、木ネジ等で固定することにより棹石１の安定性を増し耐震性を向上させる。【選択図】  図１
0003127670.tif 000002
【実用新案登録請求の範囲】
【請求項１】
墓石等の棹石の揺れに対する安定性の向上の為、墓石等の上台の棹石接地部周辺と、上台垂直面と中台水平面に穴を切削し、金属の棒材、ＹＴアンカー、ＹＴプラグ、又はＰＣプラグ等を打ち込んで固定したものと、さらに又、金属のアングル又はＬ状に板金加工したる枠を棹石下端周辺に合わせて、一文字形、コの字形又はロの字形に設置し、枠には棹石の重心が安定するような高さのアングル又は丸棒を溶接した金属構造体を、金属の六角棒、丸棒、異形棒、ナット、ボルト、木ネジ等で固定するところを特徴とする金属を使用しての墓石、石塔又は石碑の簡易耐震補強方法
【考案の詳細な説明】
【技術分野】
【０００１】  本考案は、墓石、石塔又は石碑の揺れに対する安定性向上の為、金属の構造体を追加設置し、固定する耐震補強方法に関するものである。
【背景技術】
【０００２】  墓石等は分割構造の上、最上部棹石部分は重心が上方にあるため、規模の大きい地震に対しては転倒する例が多い。
【考案の開示】
【考案が解決しようとす課題】
【０００３】  高価な上、貴い墓石等を転倒させるのは、被害甚大ゆえ、多少の地震なら耐えるように設置し、しかも経済的負担も少なくできることが建立者の望みである。従って、金属の構造体を追加設置し、固定することは墓石等の安定性向上に役立ち耐震補強になり、前述の欠点を解決しようとするものである。
【問題を解決するための手段】
【０００４】  本考案は、墓石等の上台の棹石接地部周辺と、上台垂直面と中台水平面に穴を切削し、金属の棒材、ＹＴアンカー、ＹＴプラグ、又はＰＣプラグ等を打ち込んで固定したものと、さらに又、金属のアングル又はＬ状に板金加工した枠を棹石下端周辺に合わせて、一文字形、コの字形又はロの字形に設置し、枠には棹石の重心が安定する程度の高さで、アングル又は丸棒を溶接して一体となした金属構造体を、金属の六角棒、丸棒、異形棒、ナット、ボルト、木ネジ等で固定することで揺れに対する安定性を向上させ問題点を解決している。
【考案の効果】
【０００５】  上述のように、本考案の金属を使用しての墓石、石塔又は石碑の簡易耐震補強方法は棹石の重心の揺れを上台に固定された金属構造体が抑え、安定させ、ずれない、落ちないようにして耐震性を向上させている。
【考案の実施するための最良の形態】
【０００６】  墓石等の上台の棹石接地部周辺と、上台垂直面と中台水平面に穴を切削し、金属の棒材、ＹＴアンカー、ＹＴプラグ、又はＰＣプラグ等を打ち込んで固定したものと、さらに金属のアングル又はＬ状に板金加工したる枠を棹石下端周辺に合わせて、一文字形、コの字形、又はロの字形に設置し、枠にはアングル又は丸棒を棹石の重心の安定するような高さで溶接した金属構造体を、金属の六角棒、丸棒、異形棒、ナット、ボルト、木ネジ等で固定することにより、金属構造体が棹石の揺れを抑え安定性が向上する。
【実施例】
【０００７】  以下、添付図面に従って一実施例を説明する。１は墓石の棹石、２は上台、４は棹石外周に合わせてコの字形に設置した金属アングルに金属丸棒５が棹石重心のやや下の高さになるようにアングルに溶接してあり、一体の金属構造体となしたものを、上台２の棹石１の接地部周辺に穴を切削したところへ、ＹＴアンカー９を打ち込み固定したものと、ワッシヤー１１、スプリングワッシヤー１２、ナット１３を介して固定したものである。６は金属六角棒に金属丸棒５をコの字型に溶接したもので、高さは棹石１の重心のやや下の高さで、下部は上台２に切削された丸穴に差し込み固定したものである。７は金属の直交形アングルと丸棒とを組み合わせ溶接した構造体を、ＹＴプラグ１０を上台２へ打ち込んで固定したものと、ワッシヤー１１、スプリングワッシヤー１２、ボルト１４を介して固定したものである。８はアングルを上台垂直面と中台水平面にＹＴプラグ１０をうちこんで、ワッシヤー１１、スプリングワッシヤー１２、ボルト１４を介して固定したものである。以上のごとく、金属構造体の上台への設置固定により棹石１の揺れに対する安定性が向上する。
【図面の簡単な説明】
【０００８】
【図１】コの字形金属アングルと丸棒の構造体をＹＴアンカーとナットで固定する方。法である。
【図２】金属六角棒と丸棒の構造体を切削した穴に差し込み固定したる方法である。
【図３】金属直交形アングルと丸棒の構造体をＹＴプラグとボルトで固定する方法である。
【図４】金属アングルで上台垂直面と中台水平面とを、ＹＴプラグとボルトを介して固定する方法である。
【符号の説明】
【０００９】１    棹石
２    上台
３    中台
４    コの字形金属アングル
５    金属丸棒
６    金属六角棒
７    金属直交形アングル
８    アングル
９    ＹＴアンカー
１０  ＹＴプラグ
１１  ワッシヤー
１２  スプリングワッシヤー
１３  ナット
１４  ボルト
【図１】
0003127670.tif 000003
【図２】
0003127670.tif 000004
【図３】
0003127670.tif 000005
【図４】
0003127670.tif 000006
【手続補正書】
【提出日】平成17年8月10日(2005.8.10)
【手続補正１】
【補正対象書類名】実用新案登録請求の範囲
【補正対象項目名】全文
【補正方法】変更
【補正の内容】
【実用新案登録請求の範囲】
【請求項１】
墓石等の棹石の揺れに対する安定性の向上の為、墓石等の上台の棹石接地部周辺と、上台垂直面と中台水平面に穴を切削し、金属の棒材、ＹＴアンカー、ＹＴプラグ、又はＰＣプラグ等を打ち込んで固定したものと、さらに又、金属のアングル又はＬ状に板金加工したる枠を棹石下端周辺に合わせて、一文字形、コの字形又はロの字形に設置し、枠には棹石の重心が安定するような高さで、コの字形に棹石をはさむアングル又は丸棒を溶接した金属構造体又はＬ形金物を、金属の六角棒、丸棒、異形棒、ナット、ボルト、木ネジ等で固定するところを特徴とする金属を使用しての墓石、石塔又は石碑の簡易耐震補強部材
【手続補正３】
【補正対象書類名】明細書
【補正対象項目名】０００１
【補正方法】変更
【補正の内容】
【０００１】  本考案は、墓石、石塔または石碑の揺れに対する安定性向上のため、金属の構造体を追加設置し、固定する耐震補強部材に関するものである。
【手続補正書】
【提出日】平成17年10月7日(2005.10.7)
【手続補正１】
【補正対象書類名】実用新案登録請求の範囲
【補正対象項目名】全文
【補正方法】変更
【補正の内容】
【実用新案登録請求の範囲】
【請求項１】
墓石等の棹石と上台の間、又は上台と中台の間を固定する簡易耐震補強金物であって上台に取り付け可能なベース部材と、コの字部材と、前記ベース部材と前記コの字部材とを連接する連結部とからなる構造体、又はコの字形状の二本の金属丸棒を適宜はなして垂直棒材に連接してなる構造体を上台に設置するのを特徴とする墓石、石塔又は石碑の簡易耐震補強金物
【手続補正３】
【補正対象書類名】明細書
【補正対象項目名】０００１
【補正方法】変更
【補正の内容】
【０００１】  本考案は、墓石、石塔又は石碑に構造体を設置し、固定する耐震補強金物に関するものである。
【手続補正４】
【補正対象書類名】明細書
【補正対象項目名】０００８
【補正方法】変更
【補正の内容】
【０００８】
【図１】本考案のコの字形アングルとコの字形丸棒の構造体であって、墓石、石塔又は石碑の簡易耐震補強金物の一実施例を示す斜視図である。
【図２】本考案のコの字形状の二本の丸棒と、垂直棒材の構造体であって、墓石、石塔又は石碑の簡易耐震補強金物の一実施例を示す斜視図である。
【図３】本考案の直行型アングルと丸棒の構造体であって、墓石、石塔又は石碑の簡易耐震金物の一実施例を示す斜視図である。
【図４】アングル構造体であって、簡易耐震補強金物の一実施例を示す斜視図である。